(57)【特許請求の範囲】
【請求項１】
内部に鍵の収納空間を備えた筐体と、
筐体の下端側に設けられて前記収納空間の下端側に連通する開口部とを備え、
前記筐体内に、
索状物を引き出し可能に巻いたリールと、
前記索状物の先端側に取り付けられた鍵保持具と、
前記鍵保持具に接続される鍵を前記収納空間に収まるように引き上げた状態と前記開口部を通して前記筐体の下方に露出する位置まで下降させた状態との間で上下方向に移動させる昇降手段と、
信号通信部と、
制御器と、を備え、
前記制御器は、前記信号通信部への認証信号の入力を基に、前記昇降手段へ、前記鍵保持具を介して索状物に接続される鍵を、前記収納空間に収まるように引き上げた状態から前記開口部を通して前記筐体の下方に露出する位置まで下降させる指令を与える機能を備えること
を特徴とするキーボックス。
【請求項２】
前記制御器に電源が接続され、
前記電源は、前記筐体内に配置された一次電池または二次電池とした
請求項１記載のキーボックス。
【請求項３】
前記信号通信部は、前記認証信号を、無線通信により受信するものとした
請求項１または２記載のキーボックス。
【請求項４】
前記筐体は、前記開口部に蓋を備えた構成とし、
前記制御器は、前記蓋について、前記鍵が前記収納空間に収納されている状態のときには前記開口部を前記蓋で閉じ、前記鍵が前記開口部から取り出されている間は前記開口部を開放する制御を行う機能を備える
請求項１から請求項３のいずれか一項に記載のキーボックス。
【請求項５】
前記リールは、ばね式で索状物を巻き戻す機能を備えるものとし、
前記昇降手段は、
アーム部材と、
前記アーム部材の一端側に取り付けられて前記アーム部材を上下方向に回動させるモータと、
前記アーム部材の他端側に取り付けられて前記索状物を掛けるガイド部材と、を備える構成とした
請求項１から請求項４のいずれか一項に記載のキーボックス。
【請求項６】
前記制御器は、前記昇降手段のアーム部材を下方へ回動させると時間経過のカウントを開始するタイマー機能と、前記タイマー機能により設定された時間がカウントされると、前記昇降手段へアーム部材を上方へ回動させる機能とを備える
請求項５記載のキーボックス。
【請求項７】
前記昇降手段は、前記リールを回転駆動するモータを備えた
請求項１から請求項４のいずれか一項に記載のキーボックス。
【発明の詳細な説明】
【技術分野】
【０００１】
本発明は、鍵の貸し出しを自動で行うキーボックスに関するものである。
【背景技術】
【０００２】
機械式駐車装置は、入庫時や出庫時に利用者が操作する操作盤を備えた形式のものがある。この種の操作盤は、許可を受けた利用者以外の操作を防止するために、施錠可能な扉（蓋）を有する操作盤収納箱の中に設置されることが多い。操作盤収納箱の扉は、普段は施錠される。
【０００３】
操作盤収納箱の扉の錠の鍵（キー）は、通常、月極などの利用契約を行った利用契約者にそれぞれ貸与されている。
【０００４】
利用契約者は、入庫や出庫の処理を行うときには、貸与されている鍵を用いて操作盤収納箱の扉の解錠を行って、操作盤の操作を行うようにしている。
【０００５】
ところで、機械式駐車装置では、車両の格納区画の数である駐車可能台数に比して、利用契約している車両の数が少ない場合などに、余剰の格納区画を、利用契約者以外の者に時間貸しのような形態で一時利用させることで、収益を上げることが望まれる場合がある。
【０００６】
このような機械式駐車装置の一時利用を実施する場合は、一時利用の利用者に対して操作盤収納箱の錠の鍵を貸し出す処理が必要になる。
【０００７】
なお、この鍵の貸し出しのために係員を配したのでは人件費がかかってしまう。そのため、鍵の貸し出しは、自動で実施することが望まれる。
【０００８】
従来、共同利用物の鍵の貸し出しと返却とを自動で行うための装置としては、たとえば、キーボックスを利用した共同利用物貸出返却システムが提案されている（たとえば、特許文献１参照）。
【先行技術文献】
【特許文献】
【０００９】
【特許文献１】特開２００６−７９１９９号公報
【発明の概要】
【発明が解決しようとする課題】
【００１０】
ところが、特許文献１に示されたものは、キーボックスに、予約センタとネットワークを介して通信を行う機能が必要とされる。
【００１１】
したがって、特許文献１に示されたキーボックスは、たとえば、機械式駐車装置の操作盤収納箱の錠の鍵などの鍵を自動で貸し出す処理に適用することはできるが、その場合は、キーボックスを設置すると共に、キーボックスが予約センタと通信を行うためのネットワーク設備も設ける必要が生じてしまう。
【００１２】
そこで、本発明は、ネットワークを介して外部と接続することなく、許可された利用者に対する鍵の貸し出しを自動で行うことができるキーボックスを提供しようとするものである。
【課題を解決するための手段】
【００１３】
本発明は、前記課題を解決するために、内部に鍵の収納空間を備えた筐体と、筐体の下端側に設けられて前記収納空間の下端側に連通する開口部とを備え、前記筐体内に、索状物を引き出し可能に巻いたリールと、前記索状物の先端側に取り付けられた鍵保持具と、前記鍵保持具に接続される鍵を前記収納空間に収まるように引き上げた状態と前記開口部を通して前記筐体の下方に露出する位置まで下降させた状態との間で上下方向に移動させる昇降手段と、信号通信部と、制御器と、を備え、前記制御器は、前記信号通信部への認証信号の入力を基に、前記昇降手段へ、前記鍵保持具を介して索状物に接続される鍵を、前記収納空間に収まるように引き上げた状態から前記開口部を通して前記筐体の下方に露出する位置まで下降させる指令を与える機能を備えるものとした構成を有するキーボックスとする。
【００１４】
前記制御器に電源が接続され、前記電源は、前記筐体内に配置された一次電池または二次電池とした構成としてある。
【００１５】
前記信号通信部は、前記認証信号を、無線通信により受信するものとした構成としてある。
【００１６】
前記筐体は、前記開口部に蓋を備えた構成とし、前記制御器は、前記蓋について、前記鍵が前記収納空間に収納されている状態のときには前記開口部を前記蓋で閉じ、前記鍵が前記開口部から取り出されている間は前記開口部を開放する制御を行う機能を備える構成としてある。
【００１７】
前記リールは、ばね式で索状物を巻き戻す機能を備えるものとし、前記昇降手段は、アーム部材と、前記アーム部材の一端側に取り付けられて前記アーム部材を上下方向に回動させるモータと、前記アーム部材の他端側に取り付けられて前記索状物を掛けるガイド部材と、を備える構成としてある。
【００１８】
前記制御器は、前記昇降手段のアーム部材を下方へ回動させると時間経過のカウントを開始するタイマー機能と、前記タイマー機能により設定された時間がカウントされると、前記昇降手段へアーム部材を上方へ回動させる機能とを備える構成としてある。
【００１９】
前記昇降手段は、前記リールを回転駆動するモータを備えた構成としてある。
【発明の効果】
【００２０】
本発明のキーボックスによれば、ネットワークを介して外部と接続することなく、許可された利用者に対する鍵の貸し出しを自動で行うことができる。
【図面の簡単な説明】
【００２１】
【図１】キーボックスの第１実施形態を示す概要図である。
【図２】図１のキーボックスの切断側面図である。
【図３】キーボックスから取り出した鍵の使用状態を示す概要図である。
【図４】キーボックスの第１実施形態の応用例を示す図である。
【図５】キーボックスの第２実施形態を示す概要図である。
【図６】キーボックスの第３実施形態を示す概要図である。
【発明を実施するための形態】
【００２２】
以下、本発明を実施するための形態を図面を参照して説明する。
【００２３】
［第１実施形態］
図１は、キーボックスの第１実施形態を示す概略切断正面図である。図２は、図１のＡ−Ａ位置での概略切断側面図である。図３はキーボックスから取り出された鍵の使用状態を示す概要図である。
【００２４】
本実施形態のキーボックスは、図１、図２に符号１で示すものである。説明の便宜上、図１における紙面の手前側（図２では右側）をキーボックス１の前側、図１における奥側（図２では左側）をキーボックス１の後側といい、図１における左右方向を、キーボックス１の左右方向として説明する。
【００２５】
キーボックス１は、鍵Ｘの収納空間３を備えた筐体２と、筐体２の下部側に設けられて収納空間３の下端側を外部に連通させる開口部４と、収納空間３に配置された索状物５、索状物５が引き出し可能に巻かれたリール６、および、索状物５の先端側に取り付けられた鍵保持具７とを備え、更に、昇降手段８と、信号通信部９と、電源１０と、制御器１１とを備えた構成とされている。
【００２６】
筐体２は、たとえば、中空の箱体部１２と、箱体部１２の前面側に取り付けられたカバー部１３とを備えた構成とされている。
【００２７】
箱体部１２は、上下方向寸法と左右方向寸法に比して前後方向寸法が小さい、扁平した直方体形状とされている。
【００２８】
カバー部１３は、箱体部１２の前面形状と同様の矩形状の前側壁１３ａと、前側壁１３ａの左端縁、右端縁、上端縁からそれぞれ後方に向けて突出する左側壁１３ｂ、右側壁１３ｃ、天井壁１３ｄとを備えた構成とされている。カバー部１３は、左側壁１３ｂ、右側壁１３ｃ、天井壁１３ｄの突出端側が、箱体部１２の前面側の左端縁部、右端縁部、上端縁部にそれぞれ取り付けられている。
【００２９】
これにより、筐体２は、箱体部１２の前側で且つカバー部１３の内側に空間が形成され、この空間が収納空間３とされている。また、筐体２は、収納空間３の下端側で、カバー部１３の前側壁１３ａと左側壁１３ｂと右側壁１３ｃの各下端部、および、箱体部１２の前面の下端部によって囲まれた内側の部分が、開口部４となっている。
【００３０】
昇降手段８は、索状物５の先端側に鍵保持具７を介して接続される鍵Ｘを、収納空間３に収まるように引き上げた状態（以下、鍵収納状態という）と、開口部４を通して筐体２の下方に露出する位置まで下降させた状態（以下、鍵取出状態という）との間で上下方向に移動させるための手段である。本実施形態では、昇降手段８は、モータ１４とアーム部材１５とガイド部材１６とを備えた構成とされている。
【００３１】
モータ１４は、箱体部１２の内側の上部寄りとなる個所に、左右方向のいずれか一側、たとえば、左側に寄った配置で前向きに設置されている。モータ１４の回転軸１４ａは、箱体部１２の前側壁１２ａを貫通させて収納空間３に突出するように配置されている。
【００３２】
回転軸１４ａの突出端側には、収納空間３にて回転軸１４ａと直交する方向に延びるアーム部材１５の長手方向一端側が取り付けられている。アーム部材１５の長手方向他端側には、索状物５を掛けるガイド部材１６が取り付けられている。
【００３３】
ガイド部材１６は、索状物５の周りを囲む構成を備えている。これにより、ガイド部材１６は、後述するようにアーム部材１５が回動しても、また、鍵Ｘの使用時に索状物５が前後左右のいかなる方向に引かれたとしても、索状物５を常に保持することができる。本実施形態では、ガイド部材１６は、環状の部材として、内側に索状物５を通した構成とされている。
【００３４】
昇降手段８は、図１に実線で示すように、モータ１４によりアーム部材１５を左右方向に延びる姿勢に配置して、ガイド部材１６を収納空間３の上端寄りに配置した状態が、昇降手段８の初期状態となる。
【００３５】
また、昇降手段８は、モータ１４の運転によりアーム部材１５を初期状態の姿勢から下方へ回動させて、図１に二点鎖線で示すように、アーム部材１５が上下方向に延びる姿勢となり、ガイド部材１６の位置が初期状態に比して下方へ変位された状態が、昇降手段８の作動状態となる。
【００３６】
箱体部１２の前側壁１２ａにてモータ１４よりも上方となる位置には、接続具１７が設置されている。索状物５は、基端側が接続具１７に接続されている。
【００３７】
索状物５は、リール６に巻くことが可能な柔軟性を備えていると共に、リール６からの引き出しとリール６への巻き戻しとを繰り返し実施しても容易に損耗や切断が生じない強度や耐久性を備えていればよい。索状物５としては、たとえば、金属製または樹脂製のワイヤや、繊維ロープを使用することが好ましいが、他の材質や構造の索状物５を用いてもよい。
【００３８】
リール６は、索状物５を、索状物５の長手方向中間部から巻いた構成を備えている。これにより、リール６は、索状物５を長手方向の一端側と他端側の両方向に引くことで、リール６から索状物５を引き出すことができる。また、リール６は、ばね式で索状物５を巻き戻す機能を備えている。これは、索状物５の引き出し時に変形するぜんまい式などのばね（図示せず）の復元力により、引き出された索状物５を元の状態まで巻き戻す機能である。
【００３９】
更に、リール６は、図示しないが、索状物５を引き出した状態で、前記ばねの復元力に抗して索状物５の巻き戻しを一時的に停止可能なストッパ機構を備えることが好ましい。このストッパ機構は、索状物５の引き出し方の調整や巻き戻し方向の速度の調整といった索状物５の操作により、索状物５の巻き戻しの一時的な停止とその解除とを切り替えることができるものを使用する。
【００４０】
なお、リール６における前記ばね式で索状物５を巻き戻す機能や、ストッパ機構は、電源コードのリールや、接続ケーブルのリールで広く使用されている技術であるため、ここでは構成の詳細な説明は省略する。
【００４１】
索状物５には、索状物５がリール６に巻き戻されるときに、巻き戻し量が適正になるとリール６のケースに当たる過巻規制部材１８を取り付けた構成としてもよい。この構成によれば、前記ばねの復元力によってリール６に索状物５が巻き戻されるときに、リール６における索状物５の巻き戻し量が過剰になる虞を防止することができる。
【００４２】
鍵保持具７は、鍵Ｘに一般的に備えらえている孔に通して取り付けるためのリング部１９を備えた構成とされている。これにより、鍵保持具７は、リング部１９を鍵Ｘの孔に通して取り付けることができる。この状態で、鍵Ｘは、鍵保持具７、索状物５および接続具１７を介して筐体２に接続される。
【００４３】
本実施形態のキーボックス１は、図１に示すように、昇降手段８が前記初期状態となり、リール６が索状物５を巻いた状態が、鍵収納状態となる。
【００４４】
この鍵収納状態では、アーム部材１５が左右方向に延びる姿勢となっているため、索状物５は、接続具１７からガイド部材１６に掛けられている個所までの基端寄りの部分が、ほぼ横方向に延びるように配置される。このため、ガイド部材１６から垂下する索状物５に吊られた状態で保持された鍵Ｘは、最も上方に引き上げられた状態となり、収納空間３に収納された状態となる。
【００４５】
本実施形態のキーボックス１では、鍵収納状態から、昇降手段８のモータ１４を運転して、アーム部材１５を図１に二点鎖線の矢印で示すように下方へ回動させると、アーム部材１５に取り付けられたガイド部材１６の上下方向位置が徐々に低くなる。これに伴い、索状物５では、ガイド部材１６に掛けられた個所の上下方向位置が徐々に低くなる。よって、索状物５に吊られた状態で保持されている鍵Ｘは、下方へ移動する。
【００４６】
本実施形態のキーボックス１は、図１に二点鎖線で示すように、昇降手段８が前記作動状態となり、リール６が索状物５を巻いたままの状態が、鍵取出状態となる。
【００４７】
この鍵取出状態では、アーム部材１５が上下方向に延びる姿勢となるため、索状物５は、接続具１７からガイド部材１６に掛けられている個所までの基端寄りの部分が、ほぼ上下方向に延びるように配置される。これにより、索状物５に吊られた鍵Ｘは、開口部４を通して筐体２の下方へ出される。
【００４８】
なお、昇降手段８のアーム部材１５の回動動作によって生じる鍵Ｘの上下方向位置の変化量（昇降量）は、アーム部材１５の回動中心である回転軸１４ａの位置と接続具１７の設置位置との相対的な配置、アーム部材１５の長さ寸法、アーム部材１５の回動する角度などに依存して定まる。
【００４９】
したがって、キーボックス１の設計時には、昇降手段８の初期状態では鍵Ｘを収納空間３に収納した配置とすることができ、昇降手段８の作動状態では鍵Ｘを開口部４を通して筐体２の下方に出した配置とすることができるように、モータ１４の回転軸１４ａの位置と接続具１７の設置位置との相対的な配置、アーム部材１５の長さ寸法、アーム部材１５の回動する角度範囲、および、接続具１７やアーム部材１５の回動中心から筐体２の開口部４までの上下方向距離などを設定すればよい。
【００５０】
更に、設定されたアーム部材１５の長さ寸法、および、アーム部材１５が回動する範囲と、収納が想定される鍵Ｘのサイズを基に、収納空間３の必要とされるサイズが決まるので、そのサイズの収納空間３が形成されるように、筐体２の各部のサイズを設定すればよい。
【００５１】
箱体部１２の内側には、制御器１１と電源１０が、モータ１４と干渉しない配置で設けられている。更に、筐体２の前寄りとなる個所として、たとえば、カバー部１３の前側壁１３ａの内側には、信号通信部９が設けられている。
【００５２】
モータ１４は、制御器１１に接続されている。制御器１１には、電源１０と信号通信部９も接続されている。
【００５３】
電源１０は、制御器１１、モータ１４および信号通信部９に電力を供給するためのものである。
【００５４】
本実施形態のキーボックス１を様々な個所に設置できるようにするという観点から考えると、電源１０は、箱体部１２に収納した一次電池や二次電池を用いることが好ましい。しかし、本実施形態のキーボックス１は、筐体２内に配置した電源１０に代えて、図示しない電源コードを介してＡＣ電源などの商用電源に接続する構成であってもよいことは勿論である。
【００５５】
電源１０として一次電池や二次電池を用いる場合は、図２に示すように、箱体部１２を、後側壁１２ｂに開閉可能な蓋２１を備えた開口部２０を備えた構成とし、この開口部２０の内側に、図示しない電池ボックスなどを介して一次電池や二次電池による電源１０を保持させた構成とすることが好ましい。なお、図示しないが、蓋付きの開口部は、箱体部１２の後側壁１２ｂに代えて、箱体部１２の左右の側壁に設けた構成としてもよいことは勿論である。この構成によれば、開口部２０の蓋２１を開けることで電池交換を容易に行うことができる。
【００５６】
なお、本実施形態のキーボックス１は、箱体部１２を分解して電池交換を行うものとしてもよく、この場合は、箱体部１２には開口部２０を備えない構成としてよい。
【００５７】
また、電源１０として二次電池を用いる場合は、電源１０に、太陽光発電や風力発電、その他の再生可能エネルギーを利用する発電手段を接続した構成としてもよい。この構成によれば、発電手段で発電する電気を電源１０である二次電池に蓄電することができるため、電池切れの抑制を図ることができる。
【００５８】
信号通信部９は、鍵Ｘの貸し出しを望む利用者（図示せず）が持っている図２に一点鎖線で示す如き認証用手段２２から、利用者が利用の許可を得た者であることを確認するための認証信号ｓを受けるものである。
【００５９】
なお、認証用手段２２としては、スマートフォン、タブレット、携帯電話機など、利用者が携帯する携帯端末であって、アプリケーションプログラムの実行と、ネットワークを介した外部接続により認証信号ｓの取得が可能となる機能を備えた携帯端末を用いることが好ましい。この認証用手段２２を用いた本実施形態のキーボックス１の運用方法については、使用例として後述する。
【００６０】
認証用手段２２から信号通信部９への認証信号ｓの受け渡しは、たとえば、近距離無線通信などの無線通信で行うようにすればよい。この場合は、認証用手段２２と信号通信部９の双方が、無線通信用の通信モジュールを備えた構成とすればよい。
【００６１】
制御器１１は、以下の鍵貸出処理を実行する機能を備えている。
【００６２】
この鍵貸出処理では、制御器１１は、信号通信部９からの信号を基に、認証信号ｓの入力を確認すると、昇降手段８のモータ１４へ、アーム部材１５を図１に実線で示す初期状態から二点鎖線で示す作動状態へ回動させるための回動指令ｃ１を与える。この回動指令ｃ１に従ったモータ１４の作動により、アーム部材１５は回動状態となるので、鍵保持具７を介して索状物５に吊られた状態の鍵Ｘが、開口部４を通して筐体２の下方に取り出された配置になる。
【００６３】
このように鍵Ｘが開口部４から取り出されると、利用者は、鍵Ｘを手に取ることができる。更に、図３に示すように、利用者が鍵Ｘを引いて移動させると、それに応じてリール６から索状物５が引き出される。この際、リール６に備えた図示しないストッパ機構により索状物５の巻き戻しは一時的に停止できるため、利用者は、鍵Ｘを、索状物５に接続されたままの状態で使用目的の錠がある位置まで移動させて、錠の解錠操作や施錠操作を行うことができる。
【００６４】
また、制御器１１は、タイマー機能を備えて、昇降手段８のモータ１４へ回動指令ｃ１を与えたときに、時間経過のカウントを開始する。このタイマー機能により、設定された時間として、たとえば、数分の時間経過がカウントされると、制御器１１は、モータ１４へ、アーム部材１５を図３に実線で示す作動状態から二点鎖線で示す初期状態へ復帰させるための復帰指令ｃ２を与える。この復帰指令ｃ２に従ったモータ１４の作動により、アーム部材１５は初期状態に復帰するので、索状物５におけるガイド部材１６に掛けられている部分は収納空間３の上端側へ引き上げられる。このとき索状物５がリール６から引き出された状態であれば、鍵Ｘが筐体２の内部に引き上げられることはないため、利用者は、鍵Ｘの使用を継続することができる。
【００６５】
なお、アーム部材１５が初期状態に復帰するときに、リール６からの索状物５の引き出しが行われていないか、または、引き出し量が少ない場合は、アーム部材１５の回動に伴って鍵Ｘが筐体２の内部に引き上げられてしまう可能性がある。また、アーム部材１５が初期状態に復帰した状態で、何らかの要因によりリール６のストッパ機構が解除されて索状物５の巻き戻しが生じた場合には、鍵Ｘは、筐体２の内部に引き上げられてしまう。
【００６６】
このような鍵Ｘの筐体２の内部への引き上げが鍵Ｘの使用途中で生じた場合は、利用者は、認証用手段２２を用いて信号通信部９への認証信号ｓの受け渡しを再度行えば、前記と同様に鍵Ｘを開口部４から取り出して使用することができる。
【００６７】
利用者は、鍵Ｘの使用が終了すると、索状物５を操作してリール６のストッパ機構を解除する。これにより、索状物５はリール６に巻き戻される。このとき、アーム部材１５が初期状態に復帰していると、鍵Ｘは筐体２の内部まで引き上げられる。これにより、本実施形態のキーボックス１は、図１に示したように、鍵Ｘが収納空間３に収納された鍵収納状態に復帰する。
【００６８】
このように、本実施形態のキーボックス１によれば、認証用手段２２を用いて認証信号ｓを発することで認証される利用者に対してのみ、鍵Ｘの貸し出しを行うことができる。
【００６９】
また、本実施形態のキーボックス１では、制御器１１は、認証信号ｓが信号通信部９に入力されると、昇降手段８のモータ１４へ回動指令ｃ１を与える処理を行うようにしてある。したがって、制御器１１では、認証用手段２２を携帯する利用者の情報や、利用者がいつ鍵Ｘを使用するかというような情報は必要としない。
【００７０】
よって、本実施形態のキーボックス１は、ネットワークを介して外部に接続する必要のないものとすることができる。
【００７１】
なお、認証用手段２２から認証信号ｓをいつ発信可能とするか、というような鍵Ｘが使用可能となる期間や時間の管理は、認証用手段２２側のアプリケーションプログラムで行うようにすればよい。
【００７２】
したがって、本実施形態のキーボックス１は、さまざまな鍵Ｘを自動で貸し出す処理に適用することができ、その際、本実施形態のキーボックス１が外部と通信を行うためのネットワーク設備を付設する必要はないので、鍵Ｘの貸し出しを自動で行うために必要とされる設備コストの削減化を図ることができる。
【００７３】
また、鍵Ｘは、鍵保持具７、索状物５、接続具１７を介して筐体２に接続されているため、利用者が鍵Ｘを返却し忘れて持ち帰るといった問題や、鍵Ｘを紛失するといった問題の発生を防止することができる。
【００７４】
本実施形態のキーボックス１では、制御器１１は、信号通信部９に認証信号ｓが入力されるまでは待機状態となる。また、制御器１１は、信号通信部９に認証信号ｓが入力された場合は、昇降手段８のモータ１４に回動指令ｃ１を与える処理、タイマー機能によるカウントを行う処理、タイマー機能によって設定された時間経過がカウントされるとモータ１４に復帰指令ｃ２を与える処理の３つのステップを備えた処理を行えばよい。
【００７５】
また、信号通信部９は、認証用手段２２から認証信号ｓを無線通信で受けるのみでよい。更に、信号通信部９に無線通信で受けた認証信号ｓは、画像解析のような特別な処理を要することなく電気信号に変換することができるため、信号通信部９や制御器１１の消費電力の低減化を図ることができる。
【００７６】
更に、本実施形態のキーボックス１は、電力を消費する駆動部としては１つのモータ１４のみを備えた構成とされている。
【００７７】
リール６は、ばね式の巻き戻し機能を備えているため、リール６から引き出された索状物５を巻き戻すときに電力を消費することはない。
【００７８】
このため、本実施形態のキーボックス１は、消費電力を抑えることができる。よって、本実施形態のキーボックス１は、電源１０として一次電池を用いる場合は、電池交換の頻度の低減化を図ることができる。また、電源１０として二次電池を用いる場合は、充電の頻度の低減化を図ることができる。
【００７９】
また、特許文献１に示されたキーボックスのように、鍵の貸し出しを受ける利用者が開閉操作を行う扉を備えるキーボックスの場合は、不測の事態により扉が開いている状態で施錠処理が行われて錠のデッドボルトが突出した状態になる可能性があり、それに利用者が気付かずに扉を締める操作を行ってしまうと、デッドボルトや扉の枠に損傷を生じる虞がある。
【００８０】
これに対し、本実施形態のキーボックス１は、利用者が操作する扉はないので、前記のようなデッドボルトや扉の枠に損傷を生じるという問題が生じることはない。
【００８１】
［第１実施形態の第１使用例］
次に、第１実施形態のキーボックス１の第１使用例として、機械式駐車装置の操作盤収納箱の扉の錠に対応する鍵Ｘを、機械式駐車装置を一時利用する利用者に対して貸し出す場合について説明する。
【００８２】
この場合、本実施形態のキーボックス１は、機械式駐車装置（図示せず）に備えられている図３に一点鎖線で示す如き操作盤収納箱２３の付近に設置する。鍵保持具７には、操作盤収納箱２３の扉２４の錠２５に対応する鍵Ｘを接続した構成としておく。なお、図示する便宜上、図３におけるキーボックス１と操作盤収納箱２３の寸法や相対的な寸法比は実際の寸法や寸法比を反映したものではない。
【００８３】
機械式駐車装置の一時利用を望む利用者は、認証用手段２２（図２参照）となる携帯端末を用いて、ネットワークを介して予約サーバ（図示せず）に接続し、機械式駐車装置の利用を希望する期間についての予約を申し込む。
【００８４】
予約サーバは、申し込まれた利用希望期間について、機械式駐車装置の一時利用が可能か、格納区画の空きがあるかを判断し、利用可能であれば、利用者の認証用手段２２に、利用希望期間に対応する利用期間に関連付けられた利用許可を送る。なお、予約サーバでは、利用者が駐車を望む車両のサイズの情報も用いて、一時利用が可能か否かの判断を行うようにしてもよい。
【００８５】
また、利用対象の機械式駐車装置が、車両を入庫するときに操作盤に格納棚やパレットに関連付けられた暗証番号を入力する形式である場合は、予約サーバは、その暗証番号も利用者の認証用手段２２に送る。
【００８６】
更に、予約サーバは利用期間から利用料金を計算し、機械式駐車装置の利用後にクレジット決済や、銀行口座からの引き落としによる決済などの決済手法で、利用料金の決済を行う。
【００８７】
一方、認証用手段２２では、予約サーバより受けた利用許可に基づいて、利用許可を受けた期間にのみ認証信号ｓ（図２参照）の発信が可能となるアプリケーションプログラムを、予め実行可能としておく。
【００８８】
この状態で、利用者は、利用許可を受けた期間に機械式駐車装置へ行き、認証用手段２２を本実施形態のキーボックス１の近くに配置した状態で、認証用手段２２で所定のアプリケーションプログラムを実行する。これにより、認証用手段２２からは、認証信号ｓが無線通信により発信される。
【００８９】
本実施形態のキーボックス１は、この認証信号ｓを信号通信部９（図２参照）で受けると、前記したように制御器１１による回動指令ｃ１に従って昇降手段８の動作が開始されるため、索状物５に吊られた状態で収納空間３に収納されていた鍵Ｘが、筐体２の開口部４より下方へ取り出される。
【００９０】
この状態で、利用者は、鍵Ｘを手に取り、図３に示すように、索状物５をリール６から引き出しながら鍵Ｘを操作盤収納箱２３の扉２４の錠２５の位置まで移動させて、その解錠操作を行う。
【００９１】
これにより、利用者は、操作盤収納箱２３の扉２４を開いて、操作盤（図示せず）の操作が可能になるので、予約サーバより送られてきている暗証番号を操作盤に入力して、入庫処理を行うことができる。
【００９２】
利用者は、入庫処理が終了すると、鍵Ｘを用いて操作盤収納箱２３の扉２４を施錠してから、リール６に索状物５を巻き戻させることで、鍵Ｘを本実施形態のキーボックス１に収納させる。
【００９３】
利用者が機械式駐車装置から車両を出庫させる場合、本実施形態のキーボックス１から鍵Ｘを取り出して操作盤収納箱２３の扉２４の施錠を解錠して操作盤を操作可能とする手順、および、出庫操作後に扉２４の施錠を行ってから鍵Ｘを本実施形態のキーボックス１に収納する手順は、前記入庫の場合と同様である。
【００９４】
認証用手段２２における所定のアプリケーションプログラムは、利用許可を受けた期間よりも前や後の時点では認証信号ｓを発信しない。よって、たとえ利用予約を行った利用者であっても、利用許可を受けた期間以外は、本実施形態のキーボックス１から鍵Ｘを取り出すことはできない。
【００９５】
また、利用予約を行っていない者は、認証用手段２２を用いた認証信号ｓの発信を行うことができないので、本実施形態のキーボックス１から鍵Ｘを取り出すことはできない。
【００９６】
以上により、機械式駐車装置では、予約により利用許可を受けた利用者が、利用許可を受けた期間に限って駐車を行うことが可能となる一時利用の運用を行うことができる。
【００９７】
この機械式駐車装置の一時利用の運用を行う場合は、機械式駐車装置に本実施形態のキーボックス１を設けて、このキーボックス１に、操作盤収納箱２３の扉２４の錠２５に対応する鍵Ｘを保持させる構成を追加すれば、利用許可を受けた利用者への鍵Ｘの貸し出しは自動で行うことができる。
【００９８】
しかも、本実施形態のキーボックス１は、ネットワーク設備を付設する必要はないので、前記のような機械式駐車装置の一時利用の運用を実現するために要する設備コストを低く抑えることができる。
【００９９】
また、鍵Ｘは索状物５に繋がれているため、利用者が鍵Ｘを返却し忘れて持ち帰るといった問題や、鍵Ｘを紛失するといった問題の発生は防止することができて、他の一時利用の利用者が鍵Ｘの貸し出しを受けられずに機械式駐車装置を使用できなくなるという問題も防止することができる。
【０１００】
更に、機械式駐車装置に本実施形態のキーボックス１を設けた構成では、たとえば、月極などの利用契約者が貸与されている鍵Ｘを紛失したり、忘れたりした場合の対応として、利用契約者が、携帯している携帯端末を認証用手段２２（図２参照）として用いて、機械式駐車装置の管理者などから一時的に使用可能な認証信号ｓを取得できるようにしてもよい。このようにすれば、利用契約者が貸与されている鍵Ｘを紛失したり、忘れたりしたような場合には、利用契約者が本実施形態のキーボックス１から鍵Ｘを取り出すことができるため、操作盤収納箱２３の扉２４を解錠して、操作盤による入庫処理や出庫処理を行うことが可能になる。
【０１０１】
なお、本実施形態のキーボックス１は、鍵Ｘを収納しているものであり、また、鍵Ｘの貸し出しを無人で実施するものであるため、開口部４から鍵Ｘを無理に引き出したり、筐体２を破壊したりすることによって、鍵Ｘが不正に取り出される可能性はある。しかし、機械式駐車装置は、通常、入庫処理や出庫処理を行うときには、操作盤に格納棚やパレットに関連付けられた暗証番号を入力する必要がある。このため、たとえ、本実施形態のキーボックス１から鍵Ｘが不正に取り出されたとしても、機械式駐車装置の不正な利用は、前記暗証番号により抑制される。
【０１０２】
よって、本実施形態のキーボックス１から鍵Ｘが不正に取り出されることに対しては、たとえば、監視カメラを用いた遠隔での監視などの対策を講じるようにすればよい。
【０１０３】
［第１実施形態の第２使用例］
次いで、第１実施形態のキーボックス１の第２使用例として、建物内に設けられている貸し会議室のような、時間貸しされる貸し部屋のドアの錠に対応する鍵Ｘを、利用者に対して貸し出す場合について説明する。
【０１０４】
この場合、本実施形態のキーボックス１は、貸し部屋のドアの錠の付近に設置し、鍵保持具７には、そのドアの錠に対応する鍵Ｘを接続した構成としておく。
【０１０５】
貸し部屋の利用を望む利用者が認証用手段２２（図２参照）となる携帯端末を用いて、ネットワークを介して予約サーバ（図示せず）に予約を申し込む処理、予約サーバが利用者の認証用手段２２に利用希望期間に対応する利用期間に関連付けられた利用許可を送る処理は、第１使用例の場合と同様である。
【０１０６】
予約サーバは、利用期間から利用料金を計算し、機械式駐車装置の利用後にクレジット決済や、銀行口座からの引き落としによる決済などの決済手法で、利用料金の決済を行うようにしてもよい。
【０１０７】
認証用手段２２では、予約サーバより受けた利用許可に基づいて、利用許可を受けた期間にのみ認証信号ｓ（図２参照）の発信が可能となるアプリケーションプログラムを、予め実行可能としておく。
【０１０８】
この状態で、利用者は、利用許可を受けた期間に貸し部屋へ行き、認証用手段２２を本実施形態のキーボックス１の近くに配置した状態で、認証用手段２２で所定のアプリケーションプログラムを実行する。これにより、認証用手段２２からは、認証信号ｓが無線通信により発信される。
【０１０９】
本実施形態のキーボックス１は、この認証信号ｓを信号通信部９（図２参照）で受けると、前記したように制御器１１による回動指令ｃ１に従って昇降手段８の動作が開始されるため、索状物５に吊られた状態で収納空間３に収納されていた鍵Ｘが、筐体２の開口部４より下方へ取り出される。
【０１１０】
この状態で、利用者は、鍵Ｘを手に取り、索状物５をリール６から引き出しながら鍵Ｘを貸し部屋のドアの錠の位置まで移動させて、その解錠操作を行う。これにより、利用者は、ドアを開いて貸し部屋を使用することができる。
【０１１１】
利用者は、ドアの解錠が終了すると、リール６に索状物５を巻き戻させることで、鍵Ｘを本実施形態のキーボックス１に収納させる。
【０１１２】
利用者が貸し部屋の使用を終了してドアの施錠を行う場合、本実施形態のキーボックス１から鍵Ｘを取り出す手順、および、ドアの施錠後に鍵Ｘを本実施形態のキーボックス１に収納する手順は、前記解錠の場合と同様である。
【０１１３】
以上により、貸し部屋は、予約により利用許可を受けた利用者が、利用許可を受けた期間に限って使用できるようにするという運用を行うことができる。
【０１１４】
このような運用を行う場合は、貸し部屋のドア付近に本実施形態のキーボックス１を設けて、このキーボックス１に、ドアの錠に対応する鍵Ｘを保持させる構成を追加すれば、利用許可を受けた利用者への鍵Ｘの貸し出しは自動で行うことができる。
【０１１５】
この際、本実施形態のキーボックス１は、ネットワーク設備を付設する必要はないので、設備コストを低く抑えることができる。
【０１１６】
更に、鍵Ｘは索状物５に繋がれているため、利用者が鍵Ｘを返却し忘れるといった問題や、鍵Ｘを紛失するといった問題の発生を防止することができて、貸し部屋の次の利用者が鍵Ｘの貸し出しを受けられずに貸し部屋を使用できないという問題も防止することができる。
【０１１７】
なお、貸し部屋は、建物の内部に設けられているものであって、特に高価な機器や設備が備えられていなければ、たとえ、ドアの鍵Ｘが本実施形態のキーボックス１から不正に取り出されて、ドアの解錠に不正に使用されたとしても、貸し部屋自体が建物内に設けられているため、直ちに盗難のような被害が生じる虞は少ない。
【０１１８】
よって、本実施形態のキーボックス１から鍵Ｘが不正に取り出されることに対しては、たとえば、監視カメラを用いた遠隔での監視などの対策を講じるようにすればよい。
【０１１９】
［第１実施形態の応用例］
図４は、第１実施形態のキーボックスの応用例を示す切断側面図である。
【０１２０】
なお、図４において、第１実施形態に示したものと同一のものには同一の符号を付してその説明を省略する。
【０１２１】
本応用例は、第１実施形態と同様の構成において、筐体２の開口部４に開閉可能な蓋２６を備える構成としたものである。
【０１２２】
蓋２６は、開口部４の内側に配置可能な矩形板状としてある。更に、蓋２６は、一方の長辺となる端縁側が、たとえば、カバー部１３の前側壁１３ａの下端縁の内面に沿う位置に設けられた回転軸２７に取り付けられている。これにより、蓋２６は、回転軸２７を中心に上下方向に回動できる。
【０１２３】
回転軸２７には、モータ２８が接続されている。これにより、モータ２８を運転して回転軸２７を回動させることにより、蓋２６は、図４に実線で示すように開口部４を閉じた閉姿勢と、二点鎖線で示すように開口部４を開放した開姿勢とを切り替えることができる。
【０１２４】
２９は、蓋２６の自由端側が開口部４より上方の収納空間３側に入り込むことを防止するストッパである。
【０１２５】
更に、本応用例では、たとえば、鍵保持具７に、近接スイッチ３０による近接状態の検出を行わせる対象となる被検出部材３１が取り付けられている。
【０１２６】
収納空間３には、近接スイッチ３０が、鍵Ｘを収納空間３に収納した鍵収納状態のときに鍵保持具７の被検出部材３１が配置される位置に対応する配置で設けられている。図４では、一例として、近接スイッチ３０が箱体部１２の前側壁１２ａの前面に設置された構成が示してあるが、近接スイッチ３０がカバー部１３の前側壁１３ａの内面など、図示した以外の部分に支持されていてもよいことは勿論である。
【０１２７】
なお、図示しないが、被検出部材３１は、リール６に取り付けられた構成としてもよい。この場合は、収納空間３には、鍵収納状態のときにリール６に取り付けた被検出部材３１が配置される位置に対応する配置で、近接スイッチ３０を設けた構成とすればよい。
【０１２８】
モータ２８および近接スイッチ３０は、制御器１１に接続されている。
【０１２９】
制御器１１は、第１実施形態と同様の機能に加えて、近接スイッチ３０が被検出部材３１の近接状態を検出しているときには、モータ２８に蓋２６を閉姿勢とするための閉指令を与える機能と、昇降手段８のモータ１４へ回動指令ｃ１を与える処理を行うときに、モータ２８に蓋２６を開姿勢とするための開指令を与える機能とを備える。
【０１３０】
なお、制御器１１は、近接スイッチ３０が被検出部材３１の近接状態を検出しなくなると、すなわち、被検出部材３１が近接スイッチ３０の検出範囲外まで離れると、モータ２８に蓋２６を開姿勢とするための開指令を与える機能を備えるようにしてもよい。
【０１３１】
これにより、本応用例のキーボックス１では、鍵収納状態のときには、開口部４は蓋２６で閉じられる。このため、本応用例のキーボックス１は、収納空間３に収納されている鍵Ｘの開口部４からの不正な取り出しを抑制することができる。
【０１３２】
また、制御器１１が昇降手段８に回動指令ｃ１を与えてモータ１４によるアーム部材１５の下方への回動が開始されるときには、制御器１１よりモータ２８に開指令が発せられる。このため、モータ２８による蓋２６の下方への回動が行われて、開口部４は開放される。この状態で、開口部４を通した鍵Ｘの取り出しは第１実施形態と同様に行われる。
【０１３３】
鍵Ｘの使用後に、索状物５のリール６への巻き戻しを行わせて鍵Ｘを収納空間３まで引き上げて収納させると、収納空間３に設けられている近接スイッチ３０に、被検出部材３１が近接して配置される。これにより、近接スイッチ３０が作動して、制御器１１はモータ２８に閉指令を発するため、モータ２８による蓋２６の上方へ回動が行われる。よって、本応用例のキーボックス１は、開口部４が蓋２６によって閉塞された状態に復帰する。
【０１３４】
以上の構成としてある本応用例のキーボックス１によっても、第１実施形態のキーボックス１と同様に使用して同様の効果を得ることができる。
【０１３５】
［第２実施形態］
図５はキーボックスの第２実施形態を示す概略切断正面図である。
【０１３６】
なお、図５において、第１実施形態に示したものと同一のものには同一符号を付してその説明を省略する。
【０１３７】
本実施形態のキーボックス１Ａは、第１実施形態と同様の構成において、索状物５を長手方向の中間部から巻いた形式のリール６を備える構成に代えて、索状物５を基端側から巻いた形式のリール３２を備える構成としたものである。
【０１３８】
リール３２は、収納空間３の上部側位置となる箱体部１２の前側壁１２ａの前面に、たとえば、左右方向の中間部となる配置で取り付けられている。この際、リール３２は、左右方向に揺動可能に取り付けられていてもよい。
【０１３９】
本実施形態では、アーム部材１５の長手方向他端側に取り付けられるガイド部材１６ａは、索状物５の太さよりも広い間隔を隔てて平行に配置した２個一組のローラ３３と、両ローラ３３を回転自在に保持するホルダ３４とを備えた構成とされることが好ましい。これは、本実施形態では、リール３２から索状物５が引き出されるときや、リール３２に索状物５が巻き戻されるときに、索状物５が長手方向に移動しながらガイド部材１６ａに接するようになるので、この接触に伴う索状物５の擦れを抑制するためである。
【０１４０】
また、各ローラ３３は、軸心方向中間部の径に比して、軸心方向両端側の径が大となる形状を備えるようにしてもよい。
【０１４１】
ガイド部材１６ａは、各ローラ３３の軸心方向が前後方向に沿って配置された姿勢で、アーム部材１５の長手方向他端側に取り付けられている。
【０１４２】
リール３２は、索状物５の基端側が接続されると共に、索状物５を基端側から巻いた構成を備えている。これにより、リール３２は、索状物５を先端側に引くことで、リール３２から索状物５を引き出すことができる。また、リール３２は、第１実施形態のリール６と同様のばね式で索状物５を巻き戻す機能を備えている。
【０１４３】
更に、リール３２は、図示しないが、第１実施形態のリール６と同様のストッパ機構を備えることが好ましい。
【０１４４】
索状物５は、先端寄りの部分がガイド部材１６ａの各ローラ３３の間を通して配置され、ガイド部材１６ａから垂下する索状物５の先端側に、第１実施形態と同様に、鍵Ｘを接続する鍵保持具７が取り付けられている。
【０１４５】
更に、索状物５の先端寄りの部分には、ガイド部材１６ａの各ローラ３３の間を通過できないサイズの係止部材３５が取り付けられている。これにより、索状物５は、係止部材３５が各ローラ３３に係止されることで、リール３２への巻き戻しが止まるようになる。したがって、本実施形態では、索状物５のガイド部材１６ａから垂下する部分の長さは、昇降手段８のアーム部材１５が回動しても一定に保持される。
【０１４６】
本実施形態のキーボックス１Ａは、図５に実線で示すように、昇降手段８を第１実施形態と同様の初期状態としたときが、鍵収納状態となる。
【０１４７】
この鍵収納状態では、アーム部材１５が左右方向に延びる姿勢となっているため、索状物５は、ガイド部材１６ａの各ローラ３３に係止される係止部材３５の位置が最も上方に引き上げられた状態となる。このため、ガイド部材１６ａから垂下する索状物５に吊られた状態で保持された鍵Ｘは、収納空間３に収納される。
【０１４８】
一方、本実施形態のキーボックス１Ａは、図５に二点鎖線で示すように、昇降手段８を第１実施形態と同様の作動状態としたとき、すなわち、モータ１４によりアーム部材１５を下方へ回動させた状態が、鍵取出状態となる。
【０１４９】
アーム部材１５が下方へ回動すると、索状物５は、係止部材３５が取り付けられている個所が、アーム部材１５と一体に回動するガイド部材１６ａによって押し下げられる。このため、ガイド部材１６ａから垂下する索状物５に吊られた状態の鍵Ｘの位置も下降する。
【０１５０】
これにより、鍵取出状態でアーム部材１５が上下方向に延びる下向きの姿勢となると、ガイド部材１６ａから垂下する索状物５に吊られた状態の鍵Ｘは、開口部４を通して筐体２の下方へ取り出された配置となる。
【０１５１】
以上の構成としてある本実施形態のキーボックス１Ａは、第１実施形態のキーボックス１と同様に使用して、同様の効果を得ることができる。
【０１５２】
なお、本実施形態では、リール３２は、筐体２における収納空間３に設置されていて、移動することはない。そのため、本実施形態におけるリール３２のストッパ機構は、図示しないが、歯車とそれに係止する爪とを備えて索状物５の巻き戻しを止めるラチェット機構と、筐体２の外部からの操作によりラチェット機構の爪の歯車に対する係止を解除する解除手段とを備える構成としてもよい。このようなストッパ機構を備える場合は、鍵Ｘの使用時にリール３２から索状物５を引き出すと、ラチェット機構により索状物５の長さが保持される。鍵Ｘの使用後は、解除手段を操作すれば、ラチェット機構による巻き戻しの停止が解除されるため、索状物５はリール３２に巻き戻すことができる。
【０１５３】
［第３実施形態］
図６はキーボックスの第３実施形態を示す概略切断正面図である。
【０１５４】
なお、図６において、第１実施形態に示したものと同一のものには同一符号を付してその説明を省略する。
【０１５５】
本実施形態のキーボックス１Ｂは、第１実施形態と同様の構成において、リール６と昇降手段８とを別体のものとして備える構成に代えて、昇降手段８を、リール３６に索状物５の繰り出しと巻き戻しとを行わせる回転駆動手段としてリール３６に装備する構成としたものである。
【０１５６】
リール３６は、索状物５の基端側が接続されると共に、索状物５を基端側から巻いた図示しないスプールを備え、このスプールに、昇降手段８としてのモータ３７の回転軸３７ａが接続された構成を備えている。
【０１５７】
具体的には、モータ３７は、箱体部１２の内側の上部寄り個所で、左右方向の中間部となる位置に、前向きに設置されている。モータ３７の回転軸３７ａは、箱体部１２の前側壁１２ａを貫通させて収納空間３に突出するように配置されている。
【０１５８】
収納空間３には、モータ３７と同軸心配置でリール３６が設置され、このリール３６のスプールに、回転軸３７ａの突出端側が取り付けられている。
【０１５９】
索状物５は、先端側がリール３６から垂下するように配置されている。索状物５の先端側には、第１実施形態と同様に、鍵Ｘを接続する鍵保持具７が取り付けられている。
【０１６０】
これにより、本実施形態のキーボックス１Ｂでは、モータ３７を運転してリール３６に索状物５を巻くと、鍵Ｘの位置を引き上げることができ、リール３６から索状物５を繰り出すと、鍵Ｘの位置を下降させることができる。
【０１６１】
本実施形態のキーボックス１Ｂは、モータ３７でリール３６を駆動して、リール３６から垂下する索状物５に吊られた状態の鍵Ｘを収納空間３に収納されるように引き上げた状態が、鍵収納状態となる。
【０１６２】
一方、本実施形態のキーボックス１Ｂは、前記鍵収納状態から、モータ３７でリール３６を索状物５の繰り出し方向に駆動して、索状物５に吊られた状態の鍵Ｘを開口部４を通して筐体２の下方に出るまで移動させた状態が、鍵取出状態となる。
【０１６３】
更に、筐体２には、開口部４から取り出された鍵Ｘを再び収納させるための収納スイッチ３８が設けられている。
【０１６４】
鍵保持具７には、近接スイッチ３９による近接状態の検出を行わせる対象となる被検出部材４０が取り付けられている。
【０１６５】
収納空間３には、近接スイッチ３９が、鍵Ｘを収納空間３に収納した鍵収納状態のときに鍵保持具７の被検出部材４０が配置される位置に対応する配置で設けられている。
【０１６６】
モータ３７、収納スイッチ３８および近接スイッチ３９は、制御器１１に接続されている。
【０１６７】
制御器１１は、以下の鍵貸出処理を実行する機能を備えている。
【０１６８】
この鍵貸出処理では、制御器１１は、信号通信部９からの信号を基に、認証信号ｓの入力を確認すると（図２参照）、モータ３７へ、リール３６から索状物５を繰り出す方向の回転駆動指令を与えて、鍵Ｘを図６に実線で示す鍵収納状態の配置から、二点鎖線で示す鍵取出状態の配置まで下降させる。なお、鍵Ｘの下降量は、たとえば、モータ３７の回転軸の回転角度を図示しないセンサで検出して、その検出値と、リール３６における索状物５の巻き径とを基に、制御器１１で演算することができる。
【０１６９】
このように鍵Ｘが開口部４から取り出されると、利用者は、鍵Ｘを手に取ることができる。更に、利用者が鍵Ｘを引いて移動させると、それに応じてモータ３７の図示しないロータが従動的に回転して、リール６から索状物５が引き出される。これにより、利用者は、鍵Ｘを、索状物５に接続されたままの状態で使用目的の錠がある位置まで移動させて、錠の解錠操作や施錠操作を行うことができる。
【０１７０】
利用者は、鍵Ｘの使用が終了すると、収納スイッチ３８を操作する。
【０１７１】
制御器１１は、収納スイッチ３８が操作されると、モータ３７へ、リール３６に索状物５を巻き戻す方向の回転駆動指令を与える。
【０１７２】
これにより、リール３６に索状物５が巻き戻される。このリール３６への索状物５の巻き戻しにより、索状物５の先端側に保持されている鍵Ｘは、開口部４を通して収納空間３まで引き戻される。
【０１７３】
その後、近接スイッチ３９により、鍵保持具７に取り付けられている被検出部材４０の近接が検出されると、制御器１１は、モータ３７に停止指令を与える。これにより、リール３６への索状物５の巻き戻しが停止されて、本実施形態のキーボックス１Ｂは、鍵Ｘが収納空間３に収納された鍵収納状態に復帰する。
【０１７４】
４１は、リール３６から垂下する索状物５の位置を案内するためのガイド部材である。
【０１７５】
以上の構成としてある本実施形態のキーボックス１Ｂによれば、第１実施形態のキーボックス１と同様に、鍵Ｘの自動での貸し出しに使用することができる。
【０１７６】
また、本実施形態のキーボックス１Ｂによっても、第１実施形態のキーボックス１と同様に、ネットワークを介して外部に接続することを必要しないという効果、および、利用者が鍵Ｘを返却し忘れて持ち帰るといった問題や、鍵Ｘを紛失するといった問題の発生を防止することができるという効果などを得ることができる。
【０１７７】
更に、本実施形態のキーボックス１Ｂは、電力を消費する駆動部としては１つのモータ３７のみを備えた構成とされている。
【０１７８】
このため、本実施形態のキーボックス１Ｂは、消費電力を抑えることができる。よって、本実施形態のキーボックス１Ｂは、電源１０として一次電池を用いる場合は、電池交換の頻度の低減化を図ることができる。また、電源１０として二次電池を用いる場合は、充電の頻度の低減化を図ることができる。
【０１７９】
なお、本発明は、前記各実施形態および応用例にのみ限定されるものではなく、各図に示した各構成部材の寸法や各構成部材同士の寸法比は、図示するための便宜上のものであり、実際の寸法や寸法比を反映したものではない。
【０１８０】
筐体２は、箱体部１２とカバー部１３とを備えた構成のものを例示したが、鍵保持具７が接続された鍵Ｘ、鍵保持具７に接続された索状物５、および、索状物５のリール６，３２，３６を収納する収納空間３と、収納空間３の下端側の開口部４とを備え、更に、制御器１１、電源１０、昇降手段８を装備できるようにしてあれば、図示した以外の構造や形状を備えていてもよい。
【０１８１】
開口部４は、収納空間３の下端側に設けられていて、索状物５に吊られて保持されている鍵Ｘを、索状物５の上下動に伴って上下方向に通過させることができるようにしてあれば、開口部４の周縁部は必ずしも水平でなくてもよく、凹凸を有していてもよい。鍵Ｘを索状物５の上下動に伴って上下方向に通過させることができれば、開口部４の向きは前後方向に傾斜していてもよい。
【０１８２】
第１実施形態とその応用例、第２実施形態では、アーム部材１５は、鍵Ｘを収納空間に収納した鍵収納状態のときに、水平な姿勢以外に傾斜する姿勢となっていてもよい。
【０１８３】
アーム部材１５は、一方向に延びる棒状の部材として示したが、モータ１４の回転軸１４ａに取り付けられる部分と、回転軸１４ａに取り付けられた部分から離れた位置にガイド部材１６，１６ａを取り付けた構成を備えていれば、図示した以外の形状を備えていてもよい。
【０１８４】
第２実施形態および第３実施形態の構成における筐体２の開口部４に、第１実施形態の応用例に示した蓋２６と同様の蓋２６を備える構成としてもよい。
【０１８５】
蓋２６を開閉動作させるアクチュエータと開閉機構は、たとえば、回転軸２７に取り付けたレバーをシリンダで押し引きする方式や、その他、図示した以外の任意のアクチュエータと開閉機構を採用してもよい。
【０１８６】
制御器１１は、蓋２６に対し、鍵Ｘが収納空間３に収納されている鍵収納状態のときには開口部４を閉じ、鍵Ｘが開口部４から取り出されている間は開口部４を開放する制御を行うことができれば、蓋２６の開閉を切り替えるための信号は、被検出部材３１の検出を行う近接スイッチ３０以外から取得するようにしてもよい。
【０１８７】
各実施形態と応用例における信号通信部９は、認証用手段２２から認証信号ｓを受けることができるようにしてあれば、認証信号ｓを無線通信以外の手法で受けるものとしてもよい。たとえば、信号通信部９が画像認識の機能を備える一方、認証用手段２２がディスプレイに認証信号ｓをバーコードや二次元コードのような画像によるコードを表示する機能を備える構成としてもよい。この場合は、認証用手段２２のディスプレイに表示される画像コードを信号通信部９が画像認識することで、認証用手段２２から信号通信部９への認証信号ｓの受け渡しを行うことができる。更に、非接触で十数メートル程度までの範囲で通信可能な手段であれば、赤外線などの光を用いた通信手段や、その他の非接触通信手段を採用してもよい。また、認証信号ｓを無線通信（ＢＬＵＥＴＯＯＴＨ（登録商標）など）で受ける場合には、信号通信部９は、制御器１１の上など、図示した以外の位置に配置してもよい。
【０１８８】
更に、認証用手段２２は、信号通信部９に認証信号ｓを入力することができるようにしてあれば、たとえば、非接触型ＩＣカードや、接触型ＩＣカード、その他、任意の形状の認証用手段を使用してもよい。
【０１８９】
その他本発明の要旨を逸脱しない範囲内で種々変更を加え得ることは勿論である。
【符号の説明】
【０１９０】
２  筐体、３  収納空間、４  開口部、５  索状物、６  リール、７  鍵保持具、８  昇降手段、９  信号通信部、１０  電源、１１  制御器、１４  モータ、１５  アーム部材、１６，１６ａ  ガイド部材、３２  リール、３６  リール、３７  モータ、Ｘ  鍵、ｓ  認証信号
【図１】
0006640019.tif 000002
【図２】
0006640019.tif 000003
【図３】
0006640019.tif 000004
【図４】
0006640019.tif 000005
【図５】
0006640019.tif 000006
【図６】
0006640019.tif 000007